(57)【要約】【課題】たとえ柱に取り付けたとしても十分な異物の侵入防止効果を期待することができる電気機器収納用箱体を提供する。【解決手段】通気孔７、７・・が開設された底板５上に、略全面にわたって通気孔７よりも小さい多数の防虫孔が開設された防虫板１０が取り付けられており、当該防虫板１０により通気孔７、７・・を覆っている。したがって、電気機器収納用箱体１を電柱等に取り付けたとしても、電気機器収納用箱体１内への虫等の異物侵入を確実に防止することができる。【選択図】図３
2019110163.tif 000002
【特許請求の範囲】
【請求項１】
箱本体の内部に電気機器を収納可能であるとともに、前記箱本体の底面に多数の通気孔が開設された電気機器収納用箱体であって、
前記底面の前記箱本体内部側に、前記通気孔より小さい多数の防虫孔が穿設された防虫板が、前記通気孔を覆うように固定されていることを特徴とする電気機器収納用箱体。
【請求項２】
前記底面上に、前記電気機器を取り付けるための取付部が設けられている一方、
前記防虫板に、前記取付部を露出させるための開口が開設されていることを特徴とする請求項１に記載の電気機器収納用箱体。
【発明の詳細な説明】
【技術分野】
【０００１】
本発明は、たとえばコンクリート製の電柱に取り付けられるキャビネット等の電気機器収納用箱体に関するものである。
【背景技術】
【０００２】
従来、たとえばコンクリート製の電柱等といった柱に取り付けるタイプの電気機器収納用箱体としては、特許文献１に開示されているようなものがある。そのような特許文献１に記載の電気機器収納用箱体は、柱に取り付けて使用することを前提とした謂わば専用の電気機器収納用箱体である。しかしながら、そのような専用の電気機器収納用箱体を常に準備しておくとなるとコストが嵩む原因となるため、通常は地面上に設置するタイプの電気機器収納用箱体を柱に取り付けて使用することが多々ある。
【０００３】
そのような地面上に設置するタイプの電気機器収納用箱体は、その底部に通気口が開設されていることが多く、当該通気口を介しての虫等の異物侵入を防止する必要がある。ただ、このタイプの電気機器収納用箱体は、地面に上面視矩形枠状のチャンネルベースを固定した上で、当該チャンネルベースに固定されることが多い。そして、一般的なチャンネルベースの側面には通気口が開設されていることから、従来は、チャンネルベースの通気口を防虫網等にて覆うことで、電気機器収納用箱体内部への異物侵入を防止することができた。
【先行技術文献】
【特許文献】
【０００４】
【特許文献１】特開２００８−７２８８８号公報
【発明の概要】
【発明が解決しようとする課題】
【０００５】
しかしながら、地面上に設置するタイプの電気機器収納用箱体を柱に取り付けるとなると、チャンネルベースの底面側が地面等に覆われず開放されてしまうため、チャンネルベースの側面の通気口のみを防虫網等で覆っていたのでは、電気機器収納用箱体内部への異物の侵入防止効果が十分でないという問題が生じる。
【０００６】
そこで、本発明は、上記問題に鑑みなされたものであって、たとえ柱に取り付けたとしても十分な異物の侵入防止効果を期待することができる電気機器収納用箱体を提供しようとするものである。
【課題を解決するための手段】
【０００７】
上記目的を達成するために、本発明のうち請求項１に記載の発明は、箱本体の内部に電気機器を収納可能であるとともに、前記箱本体の底面に多数の通気孔が開設された電気機器収納用箱体であって、前記底面の前記箱本体内部側に、前記通気孔より小さい多数の防虫孔が穿設された防虫板が、前記通気孔を覆うように固定されていることを特徴とする。
請求項２に記載の発明は、請求項１に記載の発明において、前記底面上に、前記電気機器を取り付けるための取付部が設けられている一方、前記防虫板に、前記取付部を露出させるための開口が開設されていることを特徴とする。
【発明の効果】
【０００８】
本発明によれば、底面の箱本体内部側に、通気孔より小さい多数の防虫孔が穿設された防虫板が、通気孔を覆うように固定されている。したがって、たとえ柱に取り付けて使用したとしても虫等の異物の侵入を確実に防止することができる。
また、底面上に、電気機器を取り付けるための取付部が設けられている一方、防虫板に、取付部を露出させるための開口が開設されているため、底面に防虫板を取り付けているにも拘わらず、取付部を利用して電気機器を取り付けることができ、構成の合理化を図ることができる。
【図面の簡単な説明】
【０００９】
【図１】電気機器収納用箱体の外観を後側から示した斜視説明図である。
【図２】分解状態にある電気機器収納用箱体を前側から示した斜視説明図である。
【図３】分解状態にある電気機器収納用箱体の底部を拡大して示した斜視説明図である。
【発明を実施するための形態】
【００１０】
以下、本発明の一実施形態となる電気機器収納用箱体（以下、箱体と称す）１について、図面にもとづき詳細に説明する。
【００１１】
図１は、箱体１の外観を後側から示した斜視説明図である。図２は、分解状態にある箱体１を前側から示した斜視説明図である。図３は、分解状態にある箱体１の底部を拡大して示した斜視説明図である。
箱体１は、前面、及び上下両面に開口する箱本体２と、箱本体２の前面開口を開閉する前扉３と、箱本体２の上面開口を閉塞する天板４と、箱本体２の下面開口を覆うように取り付けられる底板５と、底板５の下面に固定されるチャンネルベース６とを備えてなるもので、底板５以外の構成要素は、従来地面上に設置されて使用される箱体と略同様に構成されている。また、底板５の中央部には、従来同様、通気のための多数の通気孔７、７・・と、配線のための配線用開口９、９とが開設されている。ただ、底板５の上面には、本発明の要部となる防虫板１０が通気孔７、７・・を覆うように固定可能となっている。
【００１２】
さらに、底板５の上面には、使用しない配線用開口９、９を塞ぐためのカバー１１、１１も固定可能となっている。さらにまた、底板５の上面には、箱本体２内部に収納される電気機器を取り付けるための取付部１４、１４が設けられている。加えて、箱本体２の背面には、箱体１を柱（たとえばコンクリート製の電柱）に取り付けるための取付金具８、８が固定されている。なお、６ａは、チャンネルベース６に開設された通気のための通気口である。
【００１３】
防虫板１０は、底板５と略同じ大きさの上面視矩形に成形された金属板であって、略全面にわたって通気孔７よりも小さい多数の防虫孔（具体的には直径２ｍｍ程度の孔で、図示しない）が開設されている。また、防虫板１０の左部及び右部には、取付部１４、１４を露出させるためのスリット１２、１２が設けられている。さらに、防虫板１０には、底板５の上面にネジ止めするためのネジ孔１３、１３・・が穿設されている。そして、この防虫板１０を底板７の上面に固定することで、底板５に開設されている全ての通気孔７、７・・及び配線用開口９、９が防虫板１０により覆われるようになっている。
【００１４】
以上のような構成を有する箱体１によれば、通気孔７、７・・が開設された底板５上に、略全面にわたって通気孔７よりも小さい多数の防虫孔が開設された防虫板１０が取り付けられており、当該防虫板１０により通気孔７、７・・を覆っている。したがって、箱体１を電柱等に取り付けたとしても、箱体１内への虫等の異物侵入を確実に防止することができる。
【００１５】
また、底板５上に、箱本体２内部に収納される電気機器を取り付けるための取付部１４、１４が設けられている一方、防虫板１０に、取付部１４、１４を露出させるためのスリット１２、１２が開設されているため、底板５に防虫板１０を取り付けているにも拘わらず、取付部１４、１４を利用して電気機器を取り付けることができ、構成の合理化を図ることができる。
【００１６】
なお、本発明の箱体に係る構成は、上記実施形態の態様に何ら限定されるものではなく、箱体の全体的な構造は勿論、防虫板に係る構成等についても、本発明の趣旨を逸脱しない範囲で、必要に応じて適宜変更することができる。
【００１７】
たとえば、上記実施形態では、防虫板の大きさを底板と略同じ大きさとしているが、防虫板の大きさは、底板における通気孔の穿設範囲等に応じて適宜変更可能である。
また、上記実施形態では、防虫板により配線用開口を覆うとしているが、配線用開口をカバーで覆うのであれば、防虫板が配線用開口を覆わずともよい。
【符号の説明】
【００１８】
１・・電気機器収納用箱体、２・・箱本体、３・・前扉、４・・天板、５・・底板、７・・通気孔、１０・・防虫板、１２・・スリット（開口）、１３・・ネジ孔、１４・・取付部。
【図１】
2019110163.tif 000003
【図２】
2019110163.tif 000004
【図３】
2019110163.tif 000005